(57)【要約】【課題】視線を遮り目隠し効果があり、軽量で運搬や施工の容易で、施工後のフェンスパネルの交換が容易に出来るフェンスを提供するある。【解決手段】フェンスパネルの上縁と下縁に全長に亘って枠体が設けられ、この枠体の少なくとも一端部が開口されて開口部となされ、隣接する一方のフェンスパネルの枠体に設けられた連結具がこの開口部から挿入され、この挿入された連結具が他方のフェンスパネルの枠体と連結されて、隣接するフェンスパネルが互いに連結されているもので、連結具とフェンスパネルの連結を解除することにより、連接されたフェンスパネルの中間位置のフェンスパネルを取り外すことができるので、フェンスパネルの破損や模様替えなどの時にフェンスパネルの交換が容易である。【選択図】　　　　図３
2004052312.tif 000002
【特許請求の範囲】
【請求項１】
地表に適宜間隔で立設された複数の支柱とこの支柱に架設された板状のフェンスパネルからなるフェンスであって、このフェンスパネルの上縁と下縁に全長に亘って枠体が設けられ、この枠体の少なくとも一端部が開口されて開口部となされ、隣接する一方のフェンスパネルの枠体に設けられた連結具がこの開口部から挿入され、この挿入された連結具が他方のフェンスパネルの枠体と連結されて、隣接するフェンスパネルが互いに連結されていることを特徴とするフェンス。
【請求項２】
フェンスパネルの表面に広告、標識などの文字、図形、写真などを施したことを特徴とする請求項１記載のフェンス。
【発明の詳細な説明】
【０００１】
【発明の属する技術分野】
本発明は、住宅の敷地間の仕切りや、道路との境界などに用いられるフェンスに関する。
【０００２】
【従来の技術】
従来のフェンスに於いては、支柱間に架設されたフェンスパネルとして、水平方向に横架された上桟と下桟の間に多数の中桟を垂直方向に配設した縦格子タイプのものや、多数の経線と緯線を互いの交点で溶接固着してなる格子タイプのものが用いられたフェンスが知られている。又、本出願人は、特開２００２−１７４０５６号公報において、地表に適宜間隔で立設された複数の支柱とこの支柱に架設されたフェンスパネルからなるフェンスであって、このフェンスパネルが合成樹脂からなる基体とこの基体の表裏に貼着された金属箔からなる複合板から製せられているフェンスを提案している。
【０００３】
【発明が解決しようとする課題】
しかしながら上記の如き縦格子タイプのフェンスパネルや格子タイプのフェンスパネルからなるフェンスに於いては、敷地境界や道路境界に用いられたときフェンスパネルをとうして境界の反対側が視認でき、目隠しとしての機能が無いという問題があった。又、特開２００２−１７４０５６号公報に提案しているフェンスにおいては、視線を遮り目隠し機能があり、隣り合うフェンスパネルの上下に設けられた枠が接続具で連結され、枠の背面に長手方向に亘って設けられた袋溝に取り付け金具が挿入され、この取付金具が支柱に取り付けられているため支柱の立設間隔に多少の誤差があってもフェンスパネルを取り付けることができるものの、施工後フェンスパネルの破損などで、フェンスパネルの取り替えが必要となったときに端部のフェンスパネルから順に外さねばならないという問題があった。
【０００４】
そこで本発明者は従来の欠点に鑑み鋭意研究の結果、視線を遮り目隠し効果があり、軽量で運搬や施工の容易で、施工後のフェンスパネルの交換が容易に出来るフェンスを提供するものである。
【０００５】
【課題を解決するための手段】
本発明請求項１記載のフェンスは、地表に適宜間隔で立設された複数の支柱とこの支柱に架設された板状のフェンスパネルからなるフェンスであって、このフェンスパネルの上縁と下縁に全長に亘って枠体が設けられ、この枠体の少なくとも一端部が開口されて開口部となされ、隣接する一方のフェンスパネルの枠体に設けられた連結具がこの開口部から挿入され、この挿入された連結具が他方のフェンスパネルの枠体と連結されて、隣接するフェンスパネルが互いに連結されているもので、連結具とフェンスパネルの連結を解除することにより、連接されたフェンスパネルの中間位置のフェンスパネルを取り外すことができる。
【０００６】
本発明請求項２記載のフェンスは、フェンスパネルの表面に広告、標識などの文字、図形、写真などを施したもので、フェンスパネルに広告、標識などの商用又は公用の情報を付加することができる。又、任意の位置のフェンスパネルが容易に交換できるので、情報の内容の変更が容易にできる。
【０００７】
【発明の実施の形態】
図１は本発明フェンスの実施形態の一例を示す正面図である。
図に於いて１はフェンスパネルであり、地表に適宜間隔で立設された支柱４に架設されている。フェンスパネル１の上下にはアルミニウム合金製型材からなる枠が水平方向に配設されており、この上下の枠に複合板からなるフェンスパネル１が挟持されている。
【０００８】
次に本発明フェンスに於けるフェンスパネル１の実施形態の一例について図２を基に説明する。
上枠体２は、複合板の上端に配設され、下端に設けられた下枠体３と共に複合板を上下から挟持するようになされている。この上枠体２には、長手方向に亘って袋溝が形成され、上取付溝２１となされている。この上取付溝２１に上取付金具５が挿入され、この取付金具と支柱４に上取付溝２１の縁部が挟まれて上枠体２は支柱４に取り付けられるようになされている。又、上枠体２の下部には複合板を嵌入するための嵌入部２２が設けられている。
【０００９】
下枠体３は複合板の下端に配設され、上端に設けられた前記上枠体２と共に複合板を上下から挟持するようになされている。この下枠体３には長手方向に亘って下取付溝が形成されている。この下取付溝３１の縁部が下取付金具６と係合されるようになされている。又、下枠体３の上部には複合板を嵌入するための嵌入部３２が設けられている。
【００１０】
図３はフェンスパネル１の端部の裏面の詳細を示す斜視図であり、図４はフェンスパネル１の連結の状態を説明する斜視図である。図に於いて上枠体２の裏面側壁は矩形に切り欠かれて開口部２３となされ、上枠体２の上面にネジ孔２４が穿設されている。隣り合うフェンスパネル１の一方の上枠体２に前記開口部２３に対応する形状の連結具７が設けられ、この連結具７が開口部２３に挿入され、上枠体２のネジ孔２４を貫通してネジで螺着される。隣り合うフェンスパネル１をネジで連結するとき図５に示すように押さえ金具８を介して連結すれば、開口部２３が隠蔽され、外観が好適となされ、連結強度が強固となる。
【００１１】
本発明におけるフェンスパネルは板状体であれば、合成樹脂板や金属板でもよいし、経緯に交差する金属線からなる格子状体でもよいが、オレフィン系合成樹脂などの合成樹脂基体の表裏にアルミ箔などの金属箔が貼着されたものが、軽量で剛性に優れるので好適に用いられる。又、フェンスパネル１表面に文字、図形、写真などを施すには、フェンスパネル１の表面にスクリーン印刷などの手段で直接表示してもよいし、印刷シートなどをフェンスパネル１表面に貼着してもよい。
【００１２】
支柱の配設は図１に示したように、等間隔に配設してもよいが、図６に示すように表示のあるフェンスパネルａを外して立設すれば、フェンスパネルａの交換が更に容易となり、定期的に表示の交換の必要があるときなどに好適である。
【００１３】
【発明の効果】
上述の如く、本発明請求項１記載のフェンスは、地表に適宜間隔で立設された複数の支柱とこの支柱に架設された板状のフェンスパネルからなるフェンスであって、このフェンスパネルの上縁と下縁に全長に亘って枠体が設けられ、この枠体の少なくとも一端部が開口されて開口部となされ、隣接する一方のフェンスパネルの枠体に設けられた連結具がこの開口部から挿入され、この挿入された連結具が他方のフェンスパネルの枠体と連結されて、隣接するフェンスパネルが互いに連結されているもので、連結具とフェンスパネルの連結を解除することにより、連接されたフェンスパネルの中間位置のフェンスパネルを取り外すことができるので、フェンスパネルの破損や模様替えなどの時にフェンスパネルの交換が容易である。
【００１４】
又、本発明請求項２記載のフェンスは、フェンスパネルの表面に広告、標識などの文字、図形、写真などを施したもので、フェンスパネルに広告、標識などの商用又は公用の情報を付加することができる。又、任意の位置のフェンスパネルが容易に交換できるので、情報の内容の変更が容易にできるので、表示内容を一定の期間で変更したりするのが容易である。
【図面の簡単な説明】
【図１】本発明フェンスの実施形態の一例を示す正面図である。
【図２】図１の支柱近傍の断面図である。
【図３】フェンスパネルの端部の裏面の詳細を示す斜視図である。
【図４】フェンスパネルの連結の状態を説明する斜視図である。
【図５】フェンスパネルの連結の状態を説明する斜視図である。
【図６】本発明フェンスの実施形態の第２の例を示す正面図である。
【符号の説明】
１　　フェンスパネル
２　　上枠体
２１　上取付溝
２２　嵌入部
２３　開口部
２４　ネジ孔
３　　下枠体
３１　下取付溝
３２　嵌入部
４　　支柱
５　　上取付金具
６　　下取付金具
７　　連結具
８　　押さえ金具
【図１】
2004052312.tif 000003
【図２】
2004052312.tif 000004
【図３】
2004052312.tif 000005
【図４】
2004052312.tif 000006
【図５】
2004052312.tif 000007
【図６】
2004052312.tif 000008